(57)【要約】【課題】組立作業性を大幅に向上でき、且つ、持ち運びが容易で廉価な床暖房用パネルを提供する。【解決手段】複数枚並設された板状の断熱部材（第１、第２及び第３の断熱部材１４、１５、２４）を設ける。隣接する断熱部材（第１、第２の断熱部材１４、１５及び第１、第３の断熱部材１４、２４）の端面（他側の端面１４Ｂ、１５Ｂ及び他側の端面１４Ｂ、２４Ｂ）間に配置され、この断熱部材（第１、第２及び第３の断熱部材１４、１５、２４）の一面側に開口する配管保持溝部１３を有した配管保持部材１１を設ける。該配管保持部材１１の無い位置にて隣接する断熱部材（第１の断熱部材１４、１４）の端面間（一側の端面１４Ａ、１４Ａ）に固定部材１６を配置する。配管保持溝部１３以外の配管保持部材１１から断熱部材（第１、第２及び第３の断熱部材１４、１５、２４）及び固定部材１６の一面に渡って熱伝導部材１７を取り付ける。【選択図】　　　図１
2004053202.tif 000002
【特許請求の範囲】
【請求項１】
複数枚並設された板状の断熱部材と、
隣接する前記断熱部材の端面間に配置され、当該断熱部材の一面側に開口する配管保持溝部を有した熱良導性の配管保持部材と、
該配管保持部材の無い位置にて隣接する前記断熱部材の端面間に配置された固定部材と、
前記配管保持溝部以外の前記配管保持部材から前記断熱部材及び前記固定部材の一面に渡って連続して取り付けられた可撓性を有する熱伝導部材とを備えたことを特徴とする床暖房用パネル。
【請求項２】
前記配管保持部材は、前記配管保持溝部の両側にて前記断熱部材の一面側に当接する鍔部を有し、前記熱伝導部材は前記鍔部に取り付けられることを特徴とする請求項１の床暖房用パネル。
【請求項３】
前記配管保持部材に対応する位置において、隣接する前記断熱部材を相互に接合する接合部材を備えたことを特徴とする請求項１又は請求項２の床暖房用パネル。
【請求項４】
前記接合部材は、粘着剤付きの合成樹脂、紙、若しくは、布製のテープであることを特徴とする請求項３の床暖房用パネル。
【請求項５】
前記熱伝導部材は、粘着剤付きの金属箔であることを特徴とする請求項１、請求項２、請求項３又は請求項４の床暖房用パネル。
【請求項６】
前記熱伝導部材には、前記固定部材に対応する位置に目印を設け、且つ、該目印を前記固定部材より小さくしたことを特徴とする請求項１、請求項２、請求項３、請求項４又は請求項５の床暖房用パネル。
【発明の詳細な説明】
【０００１】
【発明の属する技術分野】
本発明は、温水を循環する温水配管を保持し、この配管内を循環する温水によって床上を暖房する床暖房用パネルに関するものである。
【０００２】
【従来の技術】
従来より住宅の床面上に設置され足下を暖めるためのこの種床暖房用パネルは、例えば図１０に示されるようなものが知られている。この床暖房用パネル１００は、縦長略矩形状の熱良導性のアルミニウム薄板（厚さ約０．３〜０．６ｍｍ）を用意し、このアルミニウムの薄板にプレスにて複数の配管保持溝部１１３を所定の間隔で設けている。この配管保持溝部１１３は上面側を所定の幅で開口して凹陥形成されている。そして、配管保持部材１１１を発泡成形業者に運搬し、発泡スチロールなどの発泡断熱部材１２０を配管保持部材１１１の下面全体に一体に成形していた。尚、１１６は木製の固定部材である。
【０００３】
このような構造の床暖房用パネル１００が運搬され、住宅の根太の上に張られた基床板上面に並べて設置される。そして、固定部材１１６上面側の配管保持部材１１１に予め設けられた図示しない釘打用の凹みに釘の先端が位置合わせされた後、固定部材１１６に釘が打ち付けられて床暖房用パネル１００は基床板上面に固定される。次に、配管保持溝部１１３内に温水配管１１９が挿入されて保持される。この温水配管１１９が温水器（図示せず）に接続されて、温水配管１１９内に温水器の温水が循環される。そして、温水配管１１９内を循環する温水の熱は配管保持溝部１１３から配管保持部材１１１の略全面に伝達されることにより、住宅の床面全体は所定の温度に暖房される。尚、床暖房用パネル１００の上にはフローリングと呼ばれる床仕上げ材が固定される。
【０００４】
【発明が解決しようとする課題】
しかしながら、従来の床暖房パネルは配管保持部材を一枚のアルミニウム薄板で構成していたため、釘を打ち付ける箇所に予め釘の先端を位置合わせするための凹みが設けられていた。また、配管保持部材はアルミニウム薄板で構成されていたため、折り曲げることができなかった。このため、床暖房パネルはコンパクトに折り畳むことができず、取り扱い及び持ち運びを容易に行なうことができないという問題があった。
【０００５】
また、従来の床暖房用パネルは配管保持部材の下面全体に断熱部材を成形していたので大がかりな成形機が必要であると共に、配管保持部材を断熱部材の上面全体に設けていたので床暖房用パネルのコストが高騰してしまうという問題もあった。
【０００６】
本発明は、係る従来技術の課題を解決するために成されたものであり、組み立て作業性を大幅に向上でき、且つ、持ち運びを容易にできて廉価な床暖房用パネルを提供することを目的とする。
【０００７】
【課題を解決するための手段】
即ち、本発明の床暖房用パネルは、複数枚並設された板状の断熱部材と、隣接する断熱部材の端面間に配置され、当該断熱部材の一面側に開口する配管保持溝部を有した熱良導性の配管保持部材と、該配管保持部材の無い位置にて隣接する断熱部材の端面間に配置された固定部材と、配管保持溝部以外の配管保持部材から断熱部材及び固定部材の一面に渡って連続して取り付けられた可撓性を有する熱伝導部材とを備えたことを特徴とする。
【０００８】
また、請求項２の発明の床暖房用パネルは、上記に加えて、配管保持部材は、配管保持溝部の両側にて断熱部材の一面側に当接する鍔部を有し、熱伝導部材は鍔部に取り付けられることを特徴とする。
【０００９】
また、請求項３の発明の床暖房用パネルは、請求項１又は請求項２に加えて、配管保持部材に対応する位置において、隣接する断熱部材を相互に接合する接合部材を備えたことを特徴とする。
【００１０】
また、請求項４の発明の床暖房用パネルは、請求項３に加えて、接合部材は、粘着剤付きの合成樹脂、紙、若しくは、布製のテープであることを特徴とする。
【００１１】
更に、請求項５の発明の床暖房用パネルは、請求項１、請求項２、請求項３又は請求項４に加えて、熱伝導部材は、粘着剤付きの金属箔であることを特徴とする。
【００１２】
更にまた、請求項６の発明の床暖房用パネルは、請求項１、請求項２、請求項３、請求項４又は請求項５に加えて、熱伝導部材には、固定部材に対応する位置に目印を設け、且つ、該目印を固定部材より小さくしたことを特徴とする。
【００１３】
【発明の実施の形態】
次に、本発明の実施の形態を図面に基づいて詳述する。図１は本発明の床暖房用パネル１０の斜視図、図２は本発明の床暖房用パネル１０の平面図、図３は本発明の床暖房用パネル１０の裏面図、図４は本発明の床暖房用パネル１０の正面図をそれぞれ示している。
【００１４】
床暖房用パネル１０は、住宅の床面上に設置されて足下を暖めるもので、縦長略矩形状（この場合、長さ約９００ｍｍ、幅約６００ｍｍの大きさ）を呈している。該床暖房用パネル１０は、配管保持部材１１と第１、第２及び第３の断熱部材１４、１５、２４（本発明の断熱部材に相当）と固定部材１６と、熱伝導部材１７とから構成されている。
【００１５】
配管保持部材１１は、熱伝導性を有した金属板（この場合、厚さ約０．４ｍｍのアルミニウム薄板）で、長さ約９００ｍｍ、幅約４４ｍｍの大きさを呈している。該配管保持部材１１の長さ方向一端から他端まで延在して配管保持溝部１３が凹陥形成されており、この配管保持溝部１３の上縁には幅約１６ｍｍ幅の鍔部１２、１２が長さ方向に延在して形成されている（図５）。該鍔部１２、１２は、後述する断熱部材の一面側（上面側）に当接する。
【００１６】
該配管保持溝部１３は、図示しないプレスにてプレスされ上面を幅約１４ｍｍに開口すると共に下方向に約１３．５ｍｍ凹陥形成される。詳しくは、配管保持溝部１３は、開口から約１４ｍｍ幅で所定距離下方向に延在し、下端は直径約１３．５ｍｍの半円形に形成されている。この配管保持溝部１３は、内部に温水器（図示せず）の温水を循環する温水配管１９が挿入された状態（図８）で、温水配管１９の外周が配管保持溝部１３内に密着して保持できる形状に形成されている。
【００１７】
また、配管保持溝部１３の開口縁部には開口を塞ぐ方向に保持突起１３Ａが所定寸法（この場合、約１ｍｍ）突出して設けられている。そして、配管保持溝部１３内に挿入された温水配管１９は、この保持突起１３Ａによって配管保持溝部１３内に保持される。この場合、温水配管１９は熱に強く容易に破損しない外径約１４ｍｍの塩化ビニール、或いは、ビニールなどのチューブが用いられる。尚、温水配管１９は銅パイプ、或いは、アルミニウムパイプなどを使用しても差し支えない。この場合、配管保持溝部１３内に温水配管１９を挿入する時は、配管保持部材１１は厚さ約０．４ｍｍと薄いため配管保持部材１１が僅か弾性変形して配管保持溝部１３内に挿入され保持される。
【００１８】
前記断熱部材（第１の断熱部材１４）は、長さ約９００ｍｍ、幅約５２．５ｍｍ、厚さ約１５ｍｍの縦長矩形状の発泡スチロールにて構成されている。第１の断熱部材１４の長手方向に延在する一側の端面１４Ａ（一側の側面）は後述する固定部材１６に並設可能な平面を呈しており、他側の端面１４Ｂ（他側の側面）は前記配管保持部材１１に形成された配管保持溝部１３の外面形状に合致する円弧形状に形成されている（図６）。即ち、他側の端面１４Ｂは、第１の断熱部材１４、１４を並設して他側の端面１４Ｂ、１４Ｂを合わせた状態で、両他側の端面１４Ｂ、１４Ｂ間の形状を配管保持溝部１３の外面を保持できる形状に形成されている。
【００１９】
また、他側の端面１４Ｂの上縁部には深さ約０．４ｍｍ、幅約１６ｍｍで長手方向に延在する段差部１４Ｃが形成されている。この段差部１４Ｃは他側の端面１４Ｂの上縁に連続して形成されると共に、前記配管保持部材１１の鍔部１２を係合可能な大きさに形成されている。そして、段差部１４Ｃに配管保持部材１１の鍔部１２が係合された状態で、鍔部１２は第１の断熱部材１４の上面と平面になるように構成されている。
【００２０】
即ち、他側の端面１４Ｂ、１４Ｂを合わせて第１の断熱部材１４、１４を並設した状態で、両他側の端面１４Ｂ、１４Ｂには配管保持部材１１の配管保持溝部１３周囲が密着して保持されると共に、両段差部１４Ｃ、１４Ｃに配管保持部材１１両側の鍔部１２、１２がそれぞれ平面に係合される（図８）。尚、断熱部材（第３の断熱部材２４）は、長さ約９００ｍｍ、幅約７５ｍｍ、厚さ約１５ｍｍの発泡スチロールにて構成されている。この場合、第３の断熱部材２４の一側の端面２４Ａ及び他側の端面２４Ｂは、第１の断熱部材１４の一側の端面１４Ａ及び他側の端面１４Ｂ同様に構成されている。即ち、第３の断熱部材２４は第１の断熱部材１４に対して幅を広くしただけで他第１の断熱部材１４同様に構成されている。
【００２１】
また、断熱部材（第２の断熱部材１５）は、長さ約９００ｍｍ、幅約１５０ｍｍ、厚さ約１５ｍｍの発泡スチロールにて構成されている。この第２の断熱部材１５の両側面にはそれぞれ第１の断熱部材１４に形成した一側の端面１４Ａ同様の一側の端面１５Ａと他側の端面１５Ｂが形成されている（図７）。また、第２の断熱部材１５の上面両側には他側の端面１５Ｂの上縁に連続して第１の断熱部材１４に形成した段差部１４Ｃ同様の段差部１５Ｃ、１５Ｃがそれぞれ形成されている。
【００２２】
即ち、第２の断熱部材１５の両側には配管保持部材１１の配管保持溝部１３を保持可能な一側の端面１５Ａと他側の端面１５Ｂが形成されると共に、配管保持部材１１の鍔部１２を係合可能な段差部１４Ｃ、１４Ｃが形成されている。尚、これらの断熱部材（第１、第２及び第３の断熱部材１４、１５、２４）は発砲スチロール成形業者にて予め大量に成形し輸送することができるので、従来のように配管保持部材を成形業者に輸送することなく床暖房用パネル１０を一箇所で組み立てることができる。
【００２３】
また、固定部材１６は長さ約９００ｍｍ、幅約４５ｍｍ、厚さ約１４＋０、−０．６ｍｍの木製にて構成されている。この固定部材１６は表面に後述する熱伝導部材１７を接着可能な平面を有すると共に、釘を打った場合割れたり変形したりしない杉板、桧板、ラワン板、ベニヤ板等の木材にて構成されている。
【００２４】
また、熱伝導部材１７は厚さ約０．０５ｍｍの金属箔（この場合厚さ約０．０５ｍｍ〜約０．３ｍｍのアルミニウム薄板でも差し支えない）をベースに片面に両面接着テープなどの粘着剤が設けられている。該熱伝導部材１７は、各配管保持部材１１間に貼り付けられる幅のものが用意されロール状に巻き付けられている。そして、熱伝導部材１７はロールから引き出されて配管保持部材１１の鍔部１２或いは断熱部材に貼り付けられ固定される。この熱伝導部材１７は金属箔にて構成しており容易に釘を打ち付けることができる。
【００２５】
即ち、熱伝導部材１７をロールから引き出して貼り付けるだけで配管保持部材１１の鍔部１２或いは断熱部材に貼り付けることができるので熱伝導部材１７の貼り付け作業性を大幅に向上させることができる。尚、熱伝導部材１７（アルミニウム薄板）は金属の中でも柔らかい方で釘打用孔を開けなくても容易に釘を打ち付けることができるのは従来より知られている。また、熱伝導部材１７は一面側に粘着剤が設けられたシート状のものでも差し支えない。
【００２６】
以上の構成で次に床暖房用パネル１０の組み立てを説明する。先ず、第３の断熱部材２４、第１の断熱部材１４、固定部材１６、第１の断熱部材１４、第２の断熱部材１５、第１の断熱部材１４、固定部材１６、第１の断熱部材１４、第３の断熱部材２４が順に並設される。この場合、第３の断熱部材２４と第１の断熱部材１４との他側の端面２４Ｂ、他側の端面１４Ｂが並設され、固定部材１６の両側には断熱部材１４の一側の端面１４Ａが、第２の断熱部材１５の両側には断熱部材１４の他側の端面１４Ｂが並設される（図４）。
【００２７】
第３の断熱部材２４と第１の断熱部材１４間（他側の端面２４Ｂと他側の端面１４Ｂ間）には配管保持部材１１の配管保持溝部１３が保持され、段差部２４Ｃ、１４Ｃに配管保持部材１１の鍔部１２が係合される。また、第２の断熱部材１５両側と第１の断熱部材１４間（一側の端面１５Ａと他側の端面１４Ｂ間、及び、他側の端面１５Ｂと他側の端面１４Ｂ間）に配管保持部材１１の配管保持溝部１３が保持され、段差部２４Ｃ、１４Ｃに配管保持部材１１の鍔部１２が係合される。尚、段差部１４Ｃ、１５Ｃ、２４Ｃに配管保持部材１１の鍔部１２が係合されることにより、並設された第１、第２及び第３の断熱部材１４、１５、２４の上面（床暖房用パネル１０の上面）は平面となる。
【００２８】
そして、第３の断熱部材２４と第１の断熱部材１４間、第１の断熱部材１４と第２の断熱部材１５間の下面側は粘着剤付き接合部材１８が貼られて接合される（図３）。即ち、配管保持部材１１の配管保持溝部１３に対応する各断熱部材１４、１５、２４の下面側は接合部材１８で接合される。この接合部材１８は、一面側に粘着剤が設けられた紙テープ、合成樹脂、若しくは、布製のテープにて構成されている。また、各断熱部材１４、１５、２４の下面側は配管保持部材１１の配管保持溝部１３を保持する以前に接合部材１８にて接合しても差し支えない。この場合、接合部材１８を一面側に粘着剤が設けられた紙テープ、合成樹脂、若しくは、布製のテープにて構成しているので、断熱部材の下側面に容易に貼り付けることが可能となり、乾燥時間も必要ない。
【００２９】
また、配管保持部材１１の鍔部１２と隣接する配管保持部材１１の鍔部１２間は熱伝導部材１７にて接着固定されている。この場合、配管保持部材１１の鍔部１２の上面、第１、第２及び第３の断熱部材１４、１５、２４及び、固定部材１６の一面（上面側）が熱伝導部材１７にて接着固定される。そして、両端の第３の断熱部材２４は、配管保持部材１１の鍔部１２から一側の端面２４Ａを経て第３の断熱部材２４の下側まで熱伝導部材１７が貼り付けられ固定されている。尚、固定部材１６両側は第１の断熱部材１４と接着固定していない。
【００３０】
次に、床暖房用パネル１０の表面に目印１７Ａを設ける。この目印１７Ａは固定部材１６の位置を示すもので、マジックインキ（商品名）で固定部材１６の対応位置に帯状（この場合、枠だけでも差し支えない）に書かれている（図２）。この場合、目印１７Ａは固定部材１６周囲より約５ｍｍ小さい、長さ約８９０ｍｍ、幅約３５ｍｍとしている。これにより、目印１７Ａ端部に斜めに釘が打たれた場合でも、固定部材１６に確実に釘を打てるように構成されている。尚、目印１７Ａはマジックインキに限らず、色付きインキ、ペイント等を塗布しても差し支えない。
【００３１】
一方、前記固定部材１６の両側となる床暖房用パネル１０の下面を第１の断熱部材１４と接着固定せず、上面に可撓性の熱伝導部材１７を貼り付けているので、床暖房用パネル１０を固定部材１６と第１の断熱部材１４間から上面側に折り曲げる（この場合、床暖房用パネル１０の左側を固定部材１６の外側、右側を固定部材１６の内側から矢印方向に折り曲げ断熱部材左側の断熱部材２４の一側の端面２４Ａと右側の断熱部材２４の一側の端面２４Ａとを突き合わせる）ことが可能となる（図９）。これにより、床暖房用パネル１０をコンパクトに折り畳み積み重ねることが可能となると共に容易に持ち運ぶことが可能となる。
【００３２】
そして、床暖房パネル１０は輸送されて住宅の床暖房を行なう基床板上面に並べて設置され、目印１７Ａ内に釘が打ち付けられ固定される。次に、配管保持溝部１３内に温水配管１９が挿入され保持される。尚、床暖房パネル１０の下側には図示しないが基床板が固定され、床暖房パネル１０の上にはフローリングと呼ばれる床仕上げ材が固定される。そして、温水配管１９は温水器（図示せず）に接続されて、温水配管１９内に温水器の温水が循環される。これにより、温水配管１９内を循環する温水の熱は配管保持溝部１３から鍔部１２に伝達され、鍔部１２から金属箔１７の略全面に伝達されることにより、住宅の床面全体が所定の温度に暖房される。
【００３３】
このように、複数枚並設した板状の第１、第２及び第３の断熱部材１４、１５、２４と、隣接する第１、第２の断熱部材１４、１５及び第１、第３の断熱部材１４、２４の他側の端面１４Ｂ、１５Ｂ及び他側の端面１４Ｂ、２４Ｂ間に配置され、この第１、第２及び第３の断熱部材１４、１５、２４の一面側に開口する配管保持溝部１３を有した熱良導性の配管保持部材１１と、この配管保持部材１１の無い位置にて隣接する第１の断熱部材１４、１４の一側の端面１４Ａ、１４Ａ間に配置された固定部材１６と、配管保持溝部１３以外の配管保持部材１１から第１、第２及び第３の断熱部材１４、１５、２４及び固定部材１６の一面に渡って連続して取り付けられた可撓性を有する熱伝導部材１７とを備えているので、固定部材１６と第１の断熱部材１４間から床暖房用パネル１０を上面側に折り曲げることが可能となる。これにより、床暖房用パネル１０をコンパクトに折り畳むことが可能となり、床暖房用パネル１０の取り扱い及び持ち運びを極めて容易に行なうことができるようになる。
【００３４】
また、断熱部材を第１、第２及び第３の断熱部材１４、１５、２４に分割して成形しているので大がかりな成形機を必要としない。これにより、断熱部材の成形作業性を大幅に向上することができるようになると共に、断熱部材を極めて容易に取り扱うことができるようになる。これにより、従来のように配管保持部材を成形業者に輸送することなく床暖房用パネル１０を一箇所で組み立てることができ組み立て作業性を大幅に向上させることが可能となる。
【００３５】
特に、各配管保持部材１１間に渡って熱伝導部材１７を貼り付けているので、配管保持部材１１を小さな面積で製造することが可能となり、床暖房用パネル１０の軽量化を図ることが可能となる。この場合、従来の床暖房用パネルのように配管保持部材を断熱部材の上面全体に設ける必要もなくなるので、床暖房用パネル１０のコストを大幅に低減させることができるようになる。
【００３６】
また、配管保持部材１１は、配管保持溝部１３の両側に第１、第２及び第３の断熱部材１４、１５、２４の上面側に当接する鍔部１２を有し、熱伝導部材１７をこの鍔部１２に貼り付けてるので、配管保持溝部１３内に保持された温水配管１９内を循環する温水の熱を鍔部１２から容易に熱伝導部材１７に伝達させることが可能となる。これにより、温水配管１９内の温水の熱で床暖房用パネル１０の上全体面を暖めることができるようになる。
【００３７】
また、配管保持部材１１に対応する位置に、隣接する第１、第２の断熱部材１４、１５及び第１、第３の断熱部材１４、２４を相互に接合する接合部材１８を備えているので、配管保持部材１１の配管保持溝部１３下の第１、第３の断熱部材１４、２４及び第１、第２の断熱部材１４、１５間から床暖房用パネル１０が上面側に折り曲がってしまうのを防止することができる。これにより、床暖房用パネル１０をコンパクトに折り畳んでも配管保持溝部１３が表に露出しないので、配管保持溝部１３が物品などに当たって変形してしまうのを未然に阻止することが可能となる。従って、配管保持溝部１３内に保持された温水配管１９と配管保持溝部１３とに隙間ができてしまうのを防止することができ、温水配管１９内の温水の熱を極めて効率よく熱伝導部材１７に伝達することができるので、床暖房用パネル１０の上全体面を高効率で暖められ、床暖房用パネル１０の利便性を大幅に向上させることができるようになる。
【００３８】
また、接合部材１８は、粘着剤付きの合成樹脂、紙、若しくは、布製のテープとしているので、接合部材１８にて隣接する第１、第２及び第３の断熱部材１４、１５、２４を貼り付けて容易に接合することが可能となると共に、例えば市販の廉価な接着剤付き合成樹脂、紙、若しくは、布製のテープ等を使用することができる。これにより、格別な接合部材を手配しなくても第１、第２及び第３の断熱部材１４、１５、２４を廉価な接合部材１８で接合することが可能となり、床暖房用パネル１０のコストを大幅に低減させることができる。
【００３９】
また、熱伝導部材１７は、可撓性の粘着剤付きの金属箔としているので、熱伝導部材１７は容易に折り曲げることができる。これにより、固定部材１６と第１の断熱部材１４間を第１の断熱部材１４の上面側に折り曲げ、床暖房用パネル１０をコンパクトに折り畳むことが可能となるので、床暖房用パネル１０の持ち運びの利便性を大幅に向上させることができる。
【００４０】
また、固定部材１６に対応する位置の熱伝導部材１７上面に目印１７Ａを設けており、この目印１７Ａを固定部材１６より小さくしているので、目印１７Ａを見るだけで熱伝導部材１７の下側に設けた固定部材１６を把握することができる。これにより、目印１７Ａ内に釘を打ち付けるだけで配管保持部材１１を避けて確実に固定部材１６に釘を打ち付けることが可能となるので、配管保持溝部１３内に保持された温水配管１９が打ち付けられた釘で傷ついてしまうなどの不都合を未然に阻止することができる。また、従来のように熱伝導部材に釘を打ち付けるための凹みを設けておかなくても目印１７Ａ内に直接釘を打ち付けるだけで固定部材１６を固定でき、釘打ち作業を大幅に向上させることができるようになる。
【００４１】
尚、実施例では、床暖房用パネル１０及び床暖房用パネル１０を構成する部品の寸法を記載したが、床暖房用パネル１０及び床暖房用パネル１０を構成する部品の寸法は記載した寸法に限られるものでない。
【００４２】
【発明の効果】
以上詳述した如く本発明によれば、複数枚並設された板状の断熱部材と、隣接する断熱部材の端面間に配置され、当該断熱部材の一面側に開口する配管保持溝部を有した熱良導性の配管保持部材と、該配管保持部材の無い位置にて隣接する断熱部材の端面間に配置された固定部材と、配管保持溝部以外の配管保持部材から断熱部材及び固定部材の一面に渡って連続して取り付けられた可撓性を有する熱伝導部材とを備えたので、床暖房用パネルの軽量化を図ることが可能となると共に固定部材と断熱部材間から床暖房用パネルを断熱部材の一面側に折り曲げることができるようになる。これにより、床暖房用パネルをコンパクトに折り畳むことが可能となる。従って、床暖房用パネルの取り扱い及び持ち運びを極めて容易に行なうことができ、床暖房用パネルの利便性を大幅に向上させることができるようになるものである。
【００４３】
特に、各配管保持部材間に渡って連続して可撓性を有する熱伝導部材を取り付けているので、配管保持部材を小さな面積で製造することが可能となる。これにより、例えば従来の床暖房用パネルのように配管保持部材を断熱部材の上面全体に設ける必要もなくなる。従って、組み立て作業性を大幅に向上させることができ、床暖房用パネルのコストを大幅に低減させることができるようになるものである。
【００４４】
また、板状の断熱部材を隣接させているので断熱部材を小さくすることができる。これにより、従来のように配管保持部材を成形業者に輸送することなく床暖房用パネルを一箇所で組み立てることができ、組み立て作業性を大幅に向上させることが可能となる。また、断熱部材を小さくしているので、従来のような大がかりな断熱部材の成形機が不要となる。これにより、断熱部材の成形作業性を大幅に向上させることができるようになると共に、断熱部材を極めて用に取り扱うことができるようになる。
【００４５】
また、請求項２の発明によれば、上記に加えて、配管保持部材は、配管保持溝部の両側にて断熱部材の一面側に当接する鍔部を有し、熱伝導部材は鍔部に取り付けられるので、例えば、配管保持溝部内に保持された温水配管内を循環する温水の熱を鍔部から熱伝導部材に伝達することが可能となる。従って、温水配管内の温水の熱で床暖房用パネルの上全体面を暖めることができるようになるものである。
【００４６】
また、請求項３の発明によれば、請求項１又は請求項２に加えて、配管保持部材に対応する位置において、隣接する断熱部材を相互に接合する接合部材を備えたので、配管保持部材の配管保持溝部下の断熱部材間から床暖房用パネルが断熱部材の一面側に折り曲がってしまうのを防止することができる。これにより、床暖房用パネルをコンパクトに折り畳んだ場合でも配管保持溝部が表に露出しないので、配管保持溝部が物品などに当たって変形してしまうのを未然に阻止することが可能となる。従って、例えば配管保持溝部内に保持された温水配管と配管保持溝部とに隙間ができてしまうのを防止することができ、温水配管内の温水の熱を極めて効率よく熱伝導部材に伝達することが可能となるので、床暖房用パネルの上全体面を高効率で暖めることができて、床暖房用パネルの利便性を大幅に向上させることができるようになるものである。
【００４７】
また、請求項４の発明によれば、請求項３に加えて、接合部材は、粘着剤付きの合成樹脂、紙、若しくは、布製のテープであるので、接合部材にて隣接する断熱部材に貼り付け容易に接合するとが可能となると共に、例えば市販の廉価な接着剤付き合成樹脂、紙、若しくは、布製のテープ等を使用することができるようになる。これにより、格別な接合部材を手配しなくても隣接する断熱部材を廉価な接合部材で接合することが可能となる。従って、廉価な接合部材を使用することができ、総じて床暖房用パネルのコストを大幅に低減させることができるようになるものである。
【００４８】
更に、請求項５の発明によれば、請求項１、請求項２、請求項３又は請求項４に加えて、熱伝導部材は、粘着剤付きの金属箔であるので、熱伝導部材を容易に折り曲げることができる。これにより、固定部材と断熱部材間を断熱部材の一面側に折り曲げて、床暖房用パネルをコンパクトに折り畳むことが可能となる。従って、床暖房用パネルの持ち運びの利便性を大幅に向上させることができるようになるものである。
【００４９】
更にまた、請求項６の発明によれば、請求項１、請求項２、請求項３、請求項４又は請求項５に加えて、熱伝導部材には、固定部材に対応する位置に目印を設け、且つ、該目印を固定部材より小さくしたので、目印を見るだけで熱伝導部材の下側に設けた固定部材を把握することができる。これにより、目印内に例えば釘を打ち付けるだけで配管保持部材を避けて確実に固定部材に釘を打ち付けることが可能となる。従って、配管保持溝部内に挿入され保持された例えば温水配管が、打ち付けられた釘で傷ついてしまうなどの不都合を未然に阻止することができるようになるものである。
【００５０】
特に、目印を例えば帯状に形成することにより、更に熱伝導部材下に設けた固定部材を容易に把握することが可能となる。これにより、例えば従来のように熱伝導部材に釘を打ち付けるための凹みを設けておかなくても、目印内に釘を打ち付けるだけで固定部材に確実に釘を打ち付け固定することができるので、釘打ちの作業性を大幅に向上させることができるようになるものである。
【図面の簡単な説明】
【図１】本発明の床暖房用パネルの斜視図である。
【図２】本発明の床暖房用パネルの平面図である。
【図３】本発明の床暖房用パネルの裏面図である。
【図４】本発明の床暖房用パネルの正面図である。
【図５】本発明の床暖房用パネルを構成する配管保持部材の一部拡大平面図である。
【図６】本発明の床暖房用パネルを構成する断熱部材の一部拡大斜視図である。
【図７】本発明の床暖房用パネルを構成する他の断熱部材の一部拡大斜視図である。
【図８】断熱部材の端面間に配置した配管保持部材の拡大正面図である。
【図９】熱伝導部材を折り曲げてコンパクトに折り畳んだ床暖房用パネルの正面図である。
【図１０】従来の床暖房用パネルの正面図である。
【符号の説明】
１０　床暖房用パネル
１１　配管保持部材
１２　鍔部
１３　配管保持溝部
１４　第１の断熱部材
１４Ａ　一側の端面
１４Ｂ　他側の端面
１４Ｃ　段差部
１５　第２の断熱部材
１５Ａ　一側の端面
１５Ｂ　他側の端面
１５Ｃ　段差部
１６　固定部材
１７　熱伝導部材
１７Ａ　目印
１８　接合部材
１９　温水配管
２４　第３の断熱部材
２４Ａ　一側の端面
２４Ｂ　他側の端面
２４Ｃ　段差部
【図１】
2004053202.tif 000003
【図２】
2004053202.tif 000004
【図３】
2004053202.tif 000005
【図４】
2004053202.tif 000006
【図５】
2004053202.tif 000007
【図６】
2004053202.tif 000008
【図７】
2004053202.tif 000009
【図８】
2004053202.tif 000010
【図９】
2004053202.tif 000011
【図１０】
2004053202.tif 000012